【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
通信装置であって、
通信回線上にある情報が対象とする機器の種類を表す属性情報を含むデータを受信し、指示されたデータを他の機器に送信する通信部と、
受信した前記属性情報に基づいて、前記指示されたデータの送信先の機器を決定する制御部とを、備えることを特徴とする通信装置。
【請求項２】
通信装置であって、
通信回線上にある情報の所在を示す情報元識別子と、情報元の情報が対象とする機器の種類を表す属性情報とを含むデータを受信し、指示されたデータを他の機器に送信する通信部と、
送信先となる機器の種類を表す機器属性と前記属性情報とが関連付けて記憶されている記憶部と、
受信した前記データに含まれる前記属性情報に対応する機器属性を前記記憶部より抽出し、受信した前記データの少なくとも一部を含むデータを前記抽出した機器属性を持つ機器に送信する制御部とを、備えることを特徴とする通信装置。
【請求項３】
前記制御部は、前記送信先の機器を、前記抽出した機器属性を持つ機器の中からユーザの指定によって決定することを特徴とする、請求項２記載の通信装置。
【請求項４】
前記制御部は、前記通信部を前記属性情報に対応する機器属性を持つ機器に対向させることによって前記送信先の機器の決定を行なうことを特徴とする、請求項２記載の通信装置。
【請求項５】
通信装置であって、
通信回線上にある情報の所在を示す情報元識別子と、情報元の情報が対象とする機器の種類を表す属性情報を含むデータを受信し、指示されたデータを他の機器に送信するための通信部と、
送信先となる機器を登録機器として特定する機器情報と前記登録機器の機器属性とが関連付けて記憶されている記憶部と、
受信した前記データに含まれる前記属性情報に対応する機器属性を前記記憶部より抽出し、受信した前記データの少なくとも一部を含むデータを前記抽出した機器属性を持つ登録機器に送信する制御部とを、備えることを特徴とする、通信装置。
【請求項６】
前記制御部は、前記送信先の機器を、前記抽出した機器属性を持つ登録機器の中からユーザの指定によって決定することを特徴とする、請求項５記載の通信装置。
【請求項７】
前記通信装置は表示部と、ユーザからの入力を受け付ける入力部とをさらに備え、
前記制御部は、送信先として接続可能な登録機器を表示部に表示し、前記表示された機器をユーザが前記入力部から指定することによって前記送信先の機器を決定することを特徴とする、請求項５記載の通信装置。
【請求項８】
前記制御部は、前記情報元識別子の示す情報元の機器に情報の送信を要求し、受信した前記情報元の情報を送信先の機器に送信することを特徴とする、請求項２から７記載の通信装置。
【請求項９】
前記情報元識別子は、第１の情報の所在を示す第１の識別子と、第２の情報の所在を示す前記属性情報と関連付けられた第２の識別子とを含み、
前記制御部は、
前記第１の識別子が選択された場合は、前記第１の識別子によって示される情報元に対して接続を行ない、
前記第２の識別子が選択された場合は、前記属性情報に対応する機器属性を持つ機器に受信したデータの少なくとも一部を含むデータを送信することを特徴とする、請求項２または５記載の通信装置。
【請求項１０】
前記通信装置は表示部をさらに備え、
前記制御部は、前記情報元識別子に対応した機器属性または属性情報を前記表示部に表示させることを特徴とする請求項２または５記載の通信装置。
【請求項１１】
前記表示部は、ＬＥＤであって、
前記制御部は、前記情報元識別子に対応した機器属性または属性情報に対応したＬＥＤを点灯させることを特徴とする、請求項１０記載の通信装置。
【請求項１２】
前記制御部は、前記表示した情報元識別子に対応した機器属性または属性情報に画像を付加して表示させることを特徴とする、請求項１０記載の通信装置。
【請求項１３】
前記通信装置は、ユーザからの入力を受け付ける入力部をさらに備え、
前記制御部は、表示された前記情報元識別子に対応した機器属性または属性情報から、前記入力部からのユーザの入力によって適用するものを選択することを特徴とする、請求項１０記載の通信装置。
【請求項１４】
前記制御部は、前記表示された情報元識別子に対応した機器属性または属性情報のうち、通信装置が対応する機能を持たないものをユーザが前記入力部から指定した場合、警告表示を前記表示部に表示させることを特徴とする、請求項１３記載の通信装置。
【請求項１５】
入力部、記憶部、通信部および制御部を有するコンピュータに通信処理を実行させるための通信プログラムであって、
前記記憶部は、送信先となる機器の種類を表す機器属性と、通信回線上にある情報が対象とする機器の種類を表す属性情報とを関連付けて記憶しており、
前記通信部が、通信回線上にある情報の所在を示す情報元識別子と前記属性情報とを含む受信データを送信元から受信するステップと、
前記入力部が、ユーザからの入力を受け付けるステップと、
前記制御部が、前記入力部による入力に基づき選択された前記情報元識別子に対応する前記属性情報と、前記記憶部に記憶されている前記機器属性との比較をするステップと、
前記制御部が、前記比較の結果に基づき、前記属性情報に対応する機器に前記受信データの少なくとも一部を含むデータを前記通信部を介して送信するステップとを備えることを特徴とする、通信プログラム。
【請求項１６】
入力部、記憶部、通信部および制御部を有するコンピュータに通信処理を実行させるための通信プログラムであって、
前記記憶部は、送信先となる機器を登録機器として特定するための機器情報と、前記登録機器の機器属性とを関連付けて記憶しており、
前記通信部が、通信回線上にある情報の所在を示す情報元識別子と、前記情報元識別子によって示される情報元からの情報が対象とする機器の種類を表す属性情報とを含む受信データを送信元から受信するステップと、
前記入力部が、ユーザからの入力を受け付けるステップと、
前記制御部が、前記入力部による入力に基づき選択された前記情報元識別子に対応する前記属性情報と、前記記憶部に記憶されている前記機器属性との比較をするステップと、
前記制御部が、前記比較の結果に基づき、前記属性情報に対応する前記登録機器に前記受信データの少なくとも一部を含むデータを前記通信部を介して送信するステップとを備えることを特徴とする、通信プログラム。
【請求項１７】
請求項１５または請求項１６記載の通信プログラムを記録した、コンピュータ読み取り可能な記録媒体。
【手続補正２】
【補正対象書類名】明細書
【補正対象項目名】０００７
【補正方法】変更
【補正の内容】
【０００７】
本発明の１つの局面に従うと、通信装置であって、通信回線上にある情報が対象とする機器の種類を表す属性情報を含むデータを受信し、指示されたデータを他の機器に送信する通信部と、受信した属性情報に基づいて、指示されたデータの送信先の機器を決定する制御部とを備える。
本発明の他の局面に従うと、通信装置であって、通信回線上にある情報の所在を示す情報元識別子と、情報元の情報が対象とする機器の種類を表す属性情報とを含むデータを受信し、指示されたデータを他の機器に送信する通信部と、送信先となる機器の種類を表す機器属性と属性情報とが関連付けて記憶されている記憶部と、受信したデータに含まれる属性情報に対応する機器属性を記憶部より抽出し、受信したデータの少なくとも一部を含むデータを抽出した機器属性を持つ機器に送信する制御部とを備える。
好ましくは、制御部は、送信先の機器を、抽出した機器属性を持つ機器の中からユーザの指定によって決定する。
好ましくは、制御部は、通信部を属性情報に対応する機器属性を持つ機器に対向させることによって送信先の機器の決定を行なう。
【手続補正３】
【補正対象書類名】明細書
【補正対象項目名】０００８
【補正方法】変更
【補正の内容】
【０００８】
本発明の他の局面に従うと、通信装置であって、通信回線上にある情報の所在を示す情報元識別子と、情報元の情報が対象とする機器の種類を表す属性情報とを含むデータを受信し、指示されたデータを他の機器に送信するための通信部と、送信先となる機器を登録機器として特定するための機器情報と、登録機器の機器属性とが関連付けて記憶されている記憶部と、受信したデータに含まれる属性情報に対応する機器属性を記憶部より抽出し、受信したデータの少なくとも一部を含むデータを抽出した機器属性を持つ登録機器に送信する制御部とを備える。
好ましくは、制御部は、送信先の機器を、抽出した機器属性を持つ登録機器の中からユーザの指定によって決定する。
さらに好ましくは、通信装置は表示部と、ユーザからの入力を受け付ける入力部とをさらに備え、制御部は、送信先として接続可能な登録機器を表示部に表示し、表示された機器をユーザが入力部から指定することによって送信先の機器を決定する。
好ましくは、制御部は、情報元識別子の示す情報元の機器に情報の送信を要求し、受信した情報元の情報を送信先の機器に送信する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
好ましくは、情報元識別子は、第１の情報の所在を示す第１の識別子と第２の情報の所在を示す属性情報と関連付けられた第２の識別子とを含み、制御部は、第１の識別子が選択された場合は、第１の識別子によって示される情報元に対して接続を行ない、第２の識別子が選択された場合は、属性情報に対応する機器属性を持つ機器に受信したデータの少なくとも一部を含むデータを送信する。
好ましくは、通信装置は表示部をさらに備え、制御部は、情報元識別子に対応した機器属性または属性情報を表示部に表示させる。
好ましくは、表示部は、ＬＥＤであって、制御部は、情報元識別子に対応した機器属性または属性情報に対応したＬＥＤを点灯させる。
好ましくは、制御部は、表示した情報元識別子に対応した機器属性または属性情報に画像を付加して表示させる。
好ましくは、通信装置は、ユーザからの入力を受け付ける入力部をさらに備え、制御部は、表示された情報元識別子に対応した機器属性または属性情報から、入力部からのユーザの入力によって適用するものを選択する。
さらに好ましくは、制御部は、表示された情報元識別子に対応した機器属性または属性情報のうち、通信装置が対応する機能を持たないものをユーザが入力部から指定した場合、警告表示を表示部に表示させる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００４７
【補正方法】変更
【補正の内容】
【００４７】
あるいは、たとえば図５で示すようなデータであった場合、図７で示すように、ｍｙ：ｌｉｎｋタグのｔｉｔｌｅ属性を画面に表示すると共に、ｒｏｌｅ属性が“ＩＲ−ｌｉｎｋ”という値を持つｌｏｃａｔｏｒタグがある場合には、赤外線通信ができる「リモコン送信」機能が選択可能であることを示すアイコン（図７では、「リモコン送信」アイコン）を表示するよう指示する。他にもたとえば、「リモコン送信」機能に割り当てられたボタン内にＬＥＤを設け、Ｓ３０４において行なった判定を元に、「リモコン送信」機能が選択可能である場合はＬＥＤを点灯するよう指示してもよい。これにより、ユーザは点灯の有無によって、どのリンクが他の通信機器への送信が可能であるかを容易に判断することが可能となる。なお、もし通信装置１００が赤外線通信機能を持たない場合には、表示部１０５に対する「リモコン送信」機能が選択可能であることを示すアイコンの表示指示を行なわないようにしてもよい（Ｓ３０６）。
【手続補正１１】
【補正対象書類名】明細書
【補正対象項目名】００５３
【補正方法】変更
【補正の内容】
【００５３】
あるいは、図７では、「予告編を見る」リンクを選択決定すると、Ｓ３１０において、入力部１０４から制御部１０１にリンクが処理対象として確定されたことを示す情報が与えられる。さらに、ユーザが「リモコン送信」アイコンを選択決定すれば、制御部１０１は、「リモコン送信」機能に割り当てられたボタンが押されたと判定する（Ｓ３１２にてＹｅｓ）。Ｓ３０２において取り出したｒｏｌｅ属性が“ＩＲ−ｌｉｎｋ”という値を持つｌｏｃａｔｏｒタグのｈｒｅｆ属性で指定された情報元識別子を含むデータを通信機器１２０に対して通信部１０３Ａから送信を行なうことを指示する（Ｓ３１３）。また、Ｓ３１２で「リモコン送信」機能に割り当てられたボタンではなく「接続」機能に割り当てられたボタン（図７では、「決定」ボタン）が押されたという情報を制御部１０１が受け取った場合（Ｓ３１２にてＮｏ）、Ｓ３０２において取り出したｒｏｌｅ属性が“ｌｉｎｋ”という値を持つｌｏｃａｔｏｒタグのｈｒｅｆ属性で指定された情報元識別子によって示されるデータに対して通信部１０３Ｂが接続処理を行なうことを指示する（Ｓ３１１）。なお、登録機器の機器属性に“ＩＲ−ｌｉｎｋ”という値がない場合に、ｒｏｌｅ属性が“ＩＲ−ｌｉｎｋ”という値を持つｌｏｃａｔｏｒタグがあるときに、「リモコン送信」機能に割り当てられたボタンをユーザが押したときには、入力を無視するようにしてもよいし、無効なキー入力であることを示す警告表示を行なうようにしてもよい。さらに、他のｒｏｌｅ属性を持つｌｏｃａｔｏｒタグのｈｒｅｆ属性で指定された情報元識別子を含むデータを通信機器１２０に対し送信するように設定しておいてもよい。